(57)【要約】      （修正有）【課題】容易で確実に高さ調整を行うことができるゴルフティーを提供する。【解決手段】ゴルフボールを載置する載置部２１と、地面に差し込む差込部２３を一方の端部に有し他方の端部で載置部２１と接続する軸部２２と、を有するティー本体２と、ティー本体２の軸部２２よりも大きな外径を有するストッパー３と、を有し、ストッパー３は、軸部２２が挿通する挿通穴を有するとともに、当該挿通穴の内壁部に凸部３２を有し、ティー本体２は、ストッパー３の挿通穴に当該ティー本体２が挿通する際に凸部３２が挿入するよう形成された、当該ティー本体２の軸方向に延びる溝部２２１を有し、溝部２２１には、ティー本体２の高さ方向の複数箇所に、凸部３２が挿入するよう形成された、当該溝部２２から直交する方向に延びる固定用溝部２２２が設けられている。【選択図】図１
0003203583.tif 000002
【実用新案登録請求の範囲】
【請求項１】
ゴルフボールを載置する載置部と、地面に差し込む差込部を一方の端部に有し他方の端部で前記載置部と接続する軸部と、を有するゴルフティー本体と、
前記ゴルフティー本体の前記軸部よりも大きな外径を有する高さ調整部と、を有し、
前記高さ調整部は、前記軸部が挿通する挿通穴を有するとともに、当該挿通穴の内壁部に凸部を有し、
前記ゴルフティー本体は、前記高さ調整部の前記挿通穴に当該ゴルフティー本体が挿通する際に前記凸部が挿入するよう形成された、当該ゴルフティー本体の軸方向に延びる溝部を有し、
前記溝部には、前記ゴルフティー本体の高さ方向の複数箇所に、前記凸部が挿入するよう形成された、当該溝部から直交する方向に延びる調整部固定用溝部が設けられている
ゴルフティー。
【請求項２】
請求項１に記載のゴルフティーであって、
前記調整部固定用溝部の幅は、前記溝部から離れるに従って狭くなるよう構成されている
ゴルフティー。
【請求項３】
請求項１又は２に記載のゴルフティーであって、
前記調整部固定用溝部と前記溝部との直交箇所に形成される角部を切除して切除部を形成した
ゴルフティー。
【請求項４】
請求項１乃至３のいずれかに記載のゴルフティーであって、
前記高さ調整部は、当該高さ調整部のうち前記差込部側の外径の大きさが当該高さ調整部のうち前記載置部側の外径の大きさよりも大きく形成されている
ゴルフティー。
【請求項５】
請求項１乃至４のいずれかに記載のゴルフティーであって、
前記高さ調整部の外側面には、当該ゴルフティーの軸方向に延びる平坦な壁面部が少なくとも１つ形成されている
ゴルフティー。
【考案の詳細な説明】
【技術分野】
【０００１】
本考案は、ゴルフティーに関し、特に、ゴルフティーを地面に差し込んだ際にゴルフボールが位置することになる高さを調整可能なゴルフティーに関する。
【背景技術】
【０００２】
ゴルフのティーショットは、一般に、地面に差し込んだゴルフティーの上に載置したゴルフボールを打つことで行われる。
【０００３】
ここで、ティーショットを打つ際のゴルフボールが位置する高さは、ティーショットを行うコースの特性などに応じて調整したい場合がある。このような調整は、例えば、高さの異なる複数のゴルフティーを予め用意しておき、必要に応じてゴルフティーを使い分けることで行われる。しかしながら、このように複数のゴルフティーを予め用意しておくのは手間がかかる。そこで、ティーショットを打つ際のゴルフボールの位置の調整を１つのゴルフティーで可能とするための様々な技術が考えられている。
【０００４】
高さを調整可能なゴルフティーに関する技術の一つとして、例えば、特許文献１がある。特許文献１には、硬質部材により構成される差込部と柔軟性部材により構成される載置部とを有し、差込部に、ゴルフティーを地中に差し込む深さを設定できる高さ調整部を設けたゴルフティーが記載されている。具体的には、特許文献２には、高さ調整部として、複数の凹溝と凹溝内に着脱自在に装着されるリング部材と、を用いることが記載されている。特許文献２によると、このような構成により、ティーの高さを任意に調整することが出来る。
【０００５】
また、同様の技術として、例えば、特許文献２がある。特許文献２には、定位部を有するティーと、定位台と、環状定位部と、を有するゴルフティーが記載されている。また、定位台には貫通孔が形成されており、当該貫通孔の内壁面に定位点が形成されている。特許文献３によると、定位点を定位部に嵌合した後、環状定位部を定位台に嵌入して密着定位させる。このような構成により、定位台を任意の位置で定位させることができ、ティーの高さを任意に調整することが出来る。
【先行技術文献】
【特許文献】
【０００６】
【特許文献１】特開２０１２−１２０７４３号公報
【特許文献２】特開２００９−２５４８１５号公報
【考案の概要】
【考案が解決しようとする課題】
【０００７】
特許文献１に記載されている技術の場合、ゴルフティーを地中に差し込む深さの調整をリング部材の装着位置の調整により行うことになる。ここで、リング部材は例えば伸縮自在のゴム部材などであり、地中に差し込む深さを阻害するための大きさとしては必ずしも十分ではない。そのため、特許文献２の技術を用いた場合、差し込む強さによってはリング部が差込の阻害要因とならないおそれがあり、ゴルフティーの高さの調整を容易に行うことが出来ないおそれがある、という問題が生じていた。
【０００８】
また、特許文献２の技術の場合、ゴルフティーの高さの調整を行うために、ティーの他に環状定位部と定位台との２つの部品を用いることが必要となる。そのため、ゴルフティーの高さの調整が複雑になる、という問題が生じていた。
【０００９】
このように、特許文献１、２に記載されている技術の場合、容易で確実に高さ調整を行うことが難しい、という問題が生じていた。
【００１０】
そこで、本考案の目的は、容易で確実に高さ調整を行うことが難しい、という問題を解決することができるゴルフティーを提供することにある。
【課題を解決するための手段】
【００１１】
本考案の一形態であるゴルフティーは、
ゴルフボールを載置する載置部と、地面に差し込む差込部を一方の端部に有し他方の端部で前記載置部と接続する軸部と、を有するゴルフティー本体と、
前記ゴルフティー本体の前記軸部よりも大きな外径を有する高さ調整部と、を有し、
前記高さ調整部は、前記軸部が挿通する挿通穴を有するとともに、当該挿通穴の内壁部に凸部を有し、
前記ゴルフティー本体は、前記高さ調整部の前記挿通穴に当該ゴルフティー本体が挿通する際に前記凸部が挿入するよう形成された、当該ゴルフティー本体の軸方向に延びる溝部を有し、
前記溝部には、前記ゴルフティー本体の高さ方向の複数箇所に、前記凸部が挿入するよう形成された、当該溝部から直交する方向に延びる調整部固定用溝部が設けられている
という構成を採る。
【００１２】
また、上記ゴルフティーは、
前記調整部固定用溝部の幅は、前記溝部から離れるに従って狭くなるよう構成されている
という構成を採る。
【００１３】
また、上記ゴルフティーは、
前記調整部固定用溝部と前記溝部との直交箇所に形成される角部を切除して切除部を形成した
という構成を採る。
【００１４】
また、上記ゴルフティーは、
前記高さ調整部は、当該高さ調整部のうち前記差込部側の外径の大きさが当該高さ調整部のうち前記載置部側の外径の大きさよりも大きく形成されている
という構成を採る。
【００１５】
また、上記ゴルフティーは、
前記高さ調整部の外側面には、当該ゴルフティーの軸方向に延びる平坦な壁面部が少なくとも１つ形成されている
という構成を採る。
【考案の効果】
【００１６】
本考案は、以上のように構成されることにより、容易で確実に高さ調整を行うことが難しい、という問題を解決することができるゴルフティーを提供することが出来る。
【図面の簡単な説明】
【００１７】
【図１】本考案の第１の実施形態であるゴルフティーの形状の一例を示す斜視図である。
【図２】図１で示すティー本体の形状の一例を示す斜視図である。
【図３】ティー本体の形状の一例を示す正面図である。
【図４】ティー本体の形状の一例を示す平面図である。
【図５】載置部の構成の一例を示す断面図である。
【図６】図１で示すストッパーの形状の一例を示す斜視図である。
【図７】ストッパーの形状の一例を示す正面図である。
【図８】ストッパーの形状の一例を示す側面図である。
【図９】ストッパーの形状の一例を示す平面図である。
【図１０】ストッパーの形状の一例を示す断面図である。
【図１１】ストッパーに設けられる標識の一例を示す図である。
【図１２】ストッパーをティー本体に固定した際の様子の一例を示す斜視図である。
【図１３】ティー本体に設けられた溝部と固定用溝部との形状の一例を示す図である。
【図１４】ティー本体に設けられた溝部と固定用溝部との形状の一例を示す図である。
【考案を実施するための形態】
【００１８】
＜実施形態１＞
本考案の第１の実施形態を、図１乃至図１３を参照して説明する。図１は、ゴルフティー１の形状の一例を示す斜視図である。図２は、ティー本体２の形状の一例を示す斜視図である。図３は、ティー本体２の形状の一例を示す正面図である。図４は、ティー本体２の形状の一例を示す平面図である。図５は、載置部２１の構成の一例を示す断面図である。図６は、ストッパー３の形状の一例を示す斜視図である。図７は、ストッパー３の形状の一例を示す正面図である。図８は、ストッパー３の形状の一例を示す側面図である。図９は、ストッパー３の形状の一例を示す平面図である。図１０は、ストッパー３の形状の一例を示す断面図である。図１１は、ストッパー３に設けられる標識３４の一例を示す図である。図１２は、ストッパー３をティー本体２に固定した際の様子の一例を示す斜視図である。図１３、図１４は、ティー本体２に設けられた溝部２２１と固定用溝部２２２との形状の一例を示す図である。
【００１９】
本実施形態においては、ゴルフにおいてティーショットを行う際にゴルフボールを載置するゴルフティー１について説明する。本実施形態におけるゴルフティー１は、ティー本体２とストッパー３とを有している。また、後述するように、本実施形態におけるゴルフティー１は、ティー本体２の後述する固定用溝部２２２に対応する位置でストッパー３の位置を固定することが出来る。このような構成により、固定用溝部２２２に対応する位置で固定されたストッパー３によりゴルフティー１を地面に差し込む深さを確実に調整することが出来る。また、固定する固定用溝部２２２を変更することで、容易で確実に高さ調整を行うことが可能となる。
【００２０】
なお、以下、本実施形態においては、ゴルフティー１のうちゴルフボールを載置する側（載置部２１を有する側：図１の上方）を上方であるとし、地面に差し込む側（差込部２３を有する側：図１の下方）を下方であるものとして説明する。
【００２１】
図１を参照すると、本実施形態におけるゴルフティー１は、ティー本体２（ゴルフティー本体）と、ストッパー３（高さ調整部）とを有している。ティー本体２及びストッパー３は、例えば、樹脂製部材により形成されている。
【００２２】
ティー本体２は、ティーショットを行う際に地面に差し込まれるとともにゴルフボールを載置される。図２、図３で示すように、ティー本体２は、ゴルフボールを載置する載置部２１と、載置部２１と差込部２３とを接続する軸部２２と、地面に差し込む差込部２３とを有している。また、軸部２２及び差込部２３の外周面には、ティー本体２の軸方向（上下方向）に向かって直線状に延びる１本の溝部２２１が形成されており、溝部２２１からは当該溝部２２１と直交する方向に延びる固定用溝部２２２が複数形成されている。
【００２３】
載置部２１は、軸２２と差込部２３とより大きな外径を有しており、ゴルフボールを載置可能なよう形成されている。図４で示すように、載置部２１は、平面視で円型であり、図３で示すように、正面視で上端部から所定長さより下方にいくに従って幅が狭くなるよう形成されている。また、図５で示すように、載置部２１は、当該載置部２１の上端部分に弧状の凹みである凹部２１１を有しており、当該凹部２１１にゴルフボールを載置することになる。換言すると、載置部２１は、例えばお椀型に形成されており、凹み部分にゴルフボールを載置可能なよう形成されている。
【００２４】
軸部２２は、円柱状の形状を有しており、一方の端部に差込部２３を有し、他方の端部で載置部２１と接続されている。図１乃至３で示すように、軸部２２は、載置部２１の下方で当該載置部２１と接続されており、また、軸部２２の下端部に差込部２３を有している。
【００２５】
差込部２３は、地面に容易に差し込み可能なよう、先端が先細りのテーパ状に形成されている。差込部２３は、上記のように軸部２２の下端部に設けられており、下方側へいくほど外径が小さくなるよう形成されている。つまり、差込部２３の上端部の直径は、軸部２２の直径と同様であり、下端部の直径はそれよりも小さくなることになる。
【００２６】
また、軸部２２及び差込部２３の外周面には、ティー本体２の軸方向（上下方向）に直線状に延びる１本の溝部２２１が形成されている。溝部２２１は、ストッパー３に形成される凸部３２の大きさに応じた幅、深さを有している。後述するように、溝部２２１には凸部３２が挿入することになる。そのため、溝部２２１は、凸部３２が挿入可能な幅、深さを有するよう形成されている。
【００２７】
また、溝部２２１のうち軸部２２に相当する部分には、ティー本体２の高さ方向（つまり、上下方向）の複数箇所に、当該溝部２２１から直交する方向にティー本体２の外周面に沿って延びる固定用溝部２２２（調整部固定用溝部）が設けられている。具体的には、図２、３で示すように、溝部２２１から反時計回りの方向に固定用溝部２２２が設けられている。溝部２２１と同様に、固定用溝部２２２は、凸部３２の大きさに応じた幅、深さを有している。同様に、固定用溝部２２２は、凸部３２が挿入可能な幅、深さを有するよう形成されている。
【００２８】
なお、固定用溝部２２２は、例えば、溝部２２１の上端部分から下方に向かって５ｍｍ間隔で５つ設けられている（図２参照）。しかしながら、固定用溝部２２２を設ける間隔及び設けられる固定用溝部２２２の数は、上記場合に限定されない。固定用溝部２２２は、例えば、上下方向に４ｍｍ間隔や６ｍｍ間隔など、５ｍｍ間隔以外の間隔で設けられていても構わない。また、固定用溝部２２２は、４つ以下、又は６つ以上設けられていても構わない。
【００２９】
このように、ティー本体２は、載置部２１と軸部２２と差込部２３とから形成されている。また、軸部２２の外周面には、溝部２２１および固定用溝部２２２が形成されており、差込部２３の外周面には、溝部２２１が形成されている。
【００３０】
ストッパー３は、ティー本体２の軸部２２よりも大きな外径（例えば、１．５倍〜３倍程度長い外径）を有しており、ゴルフティー１を地面に差し込む際にストッパー３の下端部が地面と当接することで、ゴルフティー１の地面に対する差し込みを阻害する。
【００３１】
図６乃至図１０で示すように、ストッパー３は、当該ストッパー３をティー本体２に差し込んだ際に下方（差込部２３側）に位置する側の外径の大きさが、上方（載置部２１側）に位置する側の外径の大きさよりも大きく形成されている。また、ストッパー３の軸方向（長手方向、上下方向）には、当該ストッパー３を軸方向に貫通する貫通穴３１（挿通穴）が形成されており、貫通孔３１の内壁面には、凸部３２が形成されている。また、図６乃至図９で示すように、ストッパー３の外側面には、ゴルフティー１の軸方向（長手方向、上下方向）に延びる平坦な壁面部３３が２つ形成されている。具体的には、ストッパー３の外側面は、相対する面である２つの壁面部３３と、２つの壁面部３３をそれぞれ結ぶ２つの曲面と、の４つの壁面により形成されている。
【００３２】
貫通孔３１には、ティー本体２のうちの差込部２３と軸部２２とが挿通する。そのため、貫通孔３１の大きさは、差込部２３と軸部２２との直径に応じた大きさであり、差込部２３と軸部２２との直径よりも若干大きくなるよう形成されている。例えば、軸部２２の直径を５ｍｍであるとした場合、貫通孔３１の直径は５．１ｍｍである。なお、貫通孔３１の直径の大きさは、上記場合に限定されない。
【００３３】
凸部３２は、貫通孔３１の内壁面に設けられている。具体的には、図１０で示すように、凸部３２は、内壁面のうちの上端部に形成されており、例えば、壁面部３３が位置する側の上端部に形成されている。
【００３４】
凸部３２は、軸部２２の直径を５ｍｍ、貫通孔３１の直径を５．１ｍｍであるとした場合、例えば、１．５ｍｍの長さを有している。このように、凸部３２は、貫通孔３１の直径から凸部３２の長さを減じた値が軸部２２の直径よりも短くなるよう形成されている。このような構成のため、凸部３２の位置を軸部２２に設けられた溝部２２１に対応する位置に位置させないと、凸部３２が邪魔をして、軸部２２は貫通孔３１を挿通しないことになる。換言すると、凸部３２の位置を軸部２２に設けられた溝部２２１に対応する位置に位置させることで、軸部２２は貫通孔３１を挿通することになる。
【００３５】
また、上記のような構成により、凸部３２が溝部２２１に挿入している状態（つまり、貫通孔３１に軸部２２が挿通している状態）においては、凸部３２が溝部２２１の壁面に当接するため、固定用溝部２２２が形成されている箇所を除いて、ティー本体２に対してストッパー３を回転させることは出来ないことになる。一方で、このような凸部３２が溝部２２１に挿入している状態の場合、当該凸部３２を溝部２２１に沿って上下方向に移動させることが出来る。そのため、溝部２２１に沿ってストッパー３を上下方向に移動させることが出来ることになる。また、凸部３２が固定用溝部２２２に差し込まれている状態の場合、同様に凸部３２が固定用溝部２２２の壁面に当接するため、凸部３２を上下方向に動かすことはできなくなる。つまり、凸部３２が固定用溝部２２２に挿入している状態においては、ストッパー３を上下方向に動かすことが出来なくなり、ストッパー３の上下方向の位置（高さ）が固定されることになる。
【００３６】
このように、ストッパー３には貫通孔３１が形成されており、貫通孔３１の内壁面には凸部３２が形成されている。また、ストッパー３の外側面には、少なくとも１つの壁面部３３が形成されている。なお、ストッパー３は、例えば、透明である。また、図１１で示すように、凸部３２が設けられている位置に対応する壁面部３３には、凸部３２が設けられていることを示す標識３４（例えば、三角形の形状の標識３４など）を付すことが出来る。壁面部３３には、会社ロゴなどの任意の文字列を印刷しても構わない。
【００３７】
以上が、ゴルフティー１の構成の一例についての説明である。
【００３８】
このように、本実施形態におけるゴルフティー１は、ティー本体２とストッパー３とを有している。また、ティー本体２には溝部２２１と複数の固定用溝部２２２とが形成されており、ストッパー３には、貫通孔３１が形成されるとともに凸部３２が形成されている。このような構成により、図１で示すように、凸部３２を溝部２２１に挿入させることで、貫通孔３１に軸部２２を挿通させ、溝部２２１に沿って凸部３２を有するストッパー３を上下方向に動かすことが出来ることになる。また、図１２で示すように、凸部３２を任意の固定用溝部２２２に差し込むことで、凸部３２を有するストッパー３の上下方向の動きが阻害されることになり、その結果、ゴルフティー１を地面に差し込む深さを固定することが出来ることになる。ここで、上述したように、固定用溝部２２２は、上下方向に複数箇所設けられている。そのため、凸部３２を差し込む固定用溝部２２２を変更することで、ストッパー３の上下方向の動きを阻害する位置を変更することができ、その結果、ゴルフティー１を地面に差し込む深さを容易に変更することが可能となることになる。
【００３９】
また、ストッパー３は、当該ストッパー３をティー本体２に差し込んだ際に下方に位置する側の外径の大きさが、上方に位置する側の外径の大きさよりも大きく形成されている。このような構成により、ゴルフティー１を地面に差し込む際に地面と当接するストッパー３の下端部の方がより大きな外径を有するよう形成されていることになる。そのため、効率的により確実に地面と当接して差し込む深さを制限することが可能となる。
【００４０】
また、ストッパー３の側面には、少なくとも１つの壁面部３３が形成されている。このような構成により、凸部３２を固定用溝部２２２に差し込むためにストッパー３を回転させる際、当該壁面部３３に指をかけてストッパー３を回転させることが出来ることになる。その結果、より容易に凸部３２を固定用溝部２２２に差し込むことが可能となる。
【００４１】
また、本実施形態における凸部３２は、内壁面のうちの上端部に形成されている。このように凸部３２を内壁面の上端部に設けることで、凸部３２を固定用溝部２２２に差し込む際など、ストッパー３を移動させる際の操作性、視認性を高めることが出来る。
【００４２】
なお、図１３で示すように、溝部２２１と固定用溝部２２２との直交箇所に形成される角部を切除して切除部２２３を設けても構わない。切除部２２３は、例えば、角を直線状に切除することで形成しても構わないし、角が弧状になるよう切除することで形成しても構わない。このように切除部２２３を形成することで、凸部３２を溝部２２１から固定用溝部２２２に差し込む動作をより滑らかに行うことが可能となる。なお、図１３では、溝部２２１と固定用溝部２２２との直交箇所のうち下側の角部のみに切除部２２３を形成する場合を例示した。しかしながら、溝部２２１と固定用溝部２２２との直交箇所のうち上側の角部も切除部２２３として形成しても構わない。
【００４３】
また、図１４で示すように、固定用溝部２２２は、溝部２２１から離れるに従って狭くなるよう形成することが出来る。つまり、固定用溝部２２２は、溝部２２１から離れるに従って、上下方向の幅や深さを狭くするよう形成することが出来る。このような構成により、凸部３２を固定用溝部２２２に差し込んだ際に、凸部３２の動きがより阻害されることになる。その結果、ストッパー３をより確実に固定することが可能となる。
【００４４】
また、本実施形態においては、溝部２２１から反時計回りの方向に固定用溝部２２２を設けるとした。しかしながら、固定用溝部２２２を設ける方向は、反時計回りの方向に限定されない。固定用溝部２２２は溝部２２１から時計回りの方向に設けられていても構わない。
【００４５】
また、本実施形態においては、凸部３２は、内壁面のうちの上端部に形成するとした。しかしながら、凸部３２は、必ずしも貫通孔３１の内壁面の上端部に設けられていなくても構わない。凸部３２を設ける位置は、本実施形態で説明した場合に限定されない。
【００４６】
以上、上記各実施形態を参照して本願考案を説明したが、本願考案は、上述した実施形態に限定されるものではない。本願考案の構成や詳細には、本願考案の範囲内で当業者が理解しうる様々な変更をすることが出来る。
【符号の説明】
【００４７】
１  ゴルフティー
２  ティー本体
２１  載置部
２１１  凹部
２２  軸部
２２１  溝部
２２２  固定用溝部
２３  差込部
３  ストッパー
３１  貫通孔
３２  凸部
３３  壁面部
【図１】
0003203583.tif 000003
【図２】
0003203583.tif 000004
【図３】
0003203583.tif 000005
【図４】
0003203583.tif 000006
【図５】
0003203583.tif 000007
【図６】
0003203583.tif 000008
【図７】
0003203583.tif 000009
【図８】
0003203583.tif 000010
【図９】
0003203583.tif 000011
【図１０】
0003203583.tif 000012
【図１１】
0003203583.tif 000013
【図１２】
0003203583.tif 000014
【図１３】
0003203583.tif 000015
【図１４】
0003203583.tif 000016